【事件の表示】
　特願２００５−２２６８６６号「暖房装置」拒絶査定不服審判事件〔平成１９年２月１５日出願公開、特開２００７−４０６３４号〕について、次のとおり審決する。
【結　論】
　本件審判の請求は、成り立たない。
【理　由】
第１　手続の経緯
　本願は、平成１７年８月４日の出願であって平成２１年１月７日付けで拒絶査定がなされ、これに対し、平成２１年２月１２日に拒絶査定不服審判の請求がなされるとともに、同日付けで手続補正がなされたものである。
　
第２　平成２１年２月１２日付けの手続補正についての補正却下の決定
［補正却下の決定の結論］
　平成２１年２月１２日付けの手続補正（以下、「本件補正」という）を却下する。
　
［理由］
１．補正後の本願発明
　本件補正により、特許請求の範囲の請求項１は、次のように補正された。
「一、室内の空気を天井側において吸込み、室内の中央に向かって吹出すように送風機を組込んだ通風路を構成する本体と、
　二、前記通風路の前記送風機の下流側に設けられ、前記通風路を流れる空気流を加熱する電気ヒーターと、
　三、前記通風路の吹出口を構成する輻射加熱手段とを備え、
　四、前記輻射加熱手段は、輻射ヒーターと該輻射ヒーターの背面に湾曲した反射板とを２組を備え、対向する一対の前記反射板間に吹出口を画成し、
　五、前記輻射加熱手段は、前記輻射ヒーターの過熱を防ぐ冷却構造として、
前記吹出口を画成する一対の
　ことを特徴とする暖房装置。」（下線部は補正箇所を示す。）
　
２．補正の目的
　本件補正は、請求項１に記載した発明を特定するために必要な事項である「副反射面を具備」する「反射板」が、「前記吹出口を画成する一対の」反射板であるとの限定を付加するものであり、かつ、補正前の請求項１に記載された発明と補正後の請求項１に記載される発明の産業上の利用分野及び解決しようとする課題が同一であるので、本件補正は、平成１８年法律第５５号改正附則第３条第１項によりなお従前の例によるとされる同法による改正前の特許法（以下、「改正前特許法」という。）第１７条の２第４項第２号の特許請求の範囲の減縮を目的とするものに該当する。
　
３．独立特許要件
　そこで、本件補正後の前記請求項１に記載された発明（以下、「本願補正発明」という。）が特許出願の際独立して特許を受けることができるものであるか（改正前特許法第１７条の２第５項において準用する同法第１２６条第５項の規定に適合するか）について以下に検討する。
　
３−１．引用例の記載事項
　Ａ．　原査定の拒絶の理由に引用された、特開２００２−３１０４７９号公報（以下、「引用例１」という）には、図面と共に次の事項が記載されている。
　１−ア　「【発明が解決しようとする課題】本発明は、屋内側の加熱部を小型化でき、部屋の壁に加わる負荷を軽減できる換気乾燥機を提供することを課題とする。
　【課題を解決するための手段】上記課題を解決するための第１の手段は、本体を、熱源が装備された加熱部と、送風装置が内蔵された送風部とで構成し、前記送風装置は、本体内に吸い込んだ屋内の空気を、前記熱源を通過させて屋内に吹き出す場合と、屋外に排気する場合とに選択的に切り替えるものとし、前記送風部を部屋の壁に形成した通気口内に挿入して取り付けると共に、前記加熱部を屋内に位置させて送風部に取り付けたものである。」（段落【０００５】〜【０００６】）
　１−イ　「次に、本発明の第４の実施の形態を図１０乃至図１５に基づいて説明する。尚、同一部品は同一符号を符して説明を省略する。
　先ず送風部７について説明する。
　送風装置１０６は図１０に示すようにシロッコファン１９とこのファン１９を囲繞するファンケーシング１１８とファン１９を駆動するモータ２０とで構成されており、ファン１９の軸心を略鉛直に向けると共にモータ２０をファン１９の下方に位置するようにして枠体１０内に配設される。
・・・・・・
　ファンケーシング１１８の下面からは第１支柱１２４とこの第１支柱１２４より短い第２支柱１３１が垂設されており、第１支柱１２４に枠体１０の下方側からネジ１５１をねじ込むことでファンケーシング１１８が取り付けられる。このファンケーシング１１８の上面の略中央には吸気穴１２５が形成され、正面側には後述する温風通路１４２に連通する第１排気口１２６が形成され、背面側には屋外３と連通する第２排気口１２７が形成されている。また、ファンケーシング１１８の側壁の第１排気口１２６と第２排気口１２７の間はファン１９側へ膨出する円弧面１２８に形成されており、この円弧面１２８にてファン１９との間隔が狭くなる絞り部１２９が形成される。そして、前記第２排気口１２７の開口幅Ｋは絞り部１２９の開口幅Ｌより小さく形成されている。」（段落【００８４】〜【００８８】）
　１−ウ　「次に加熱部９について説明する。
　加熱部９の外郭は、送風部７の正面側に配設される背面板１３２と、この背面板１３２の正面側を着脱自在に覆う正面カバー３３から構成されている。
　背面板１３２には、第１排気口１２６と連通する連通口１３５が形成されると共に、下部に下方の屈曲部１５上面に当接される切り起し片１３６が形成されている。また、背面板１３２の周縁は正面側に向かって折り曲げられており、上部に係止爪３７が形成される。１３８は加熱部９を取り付けるためのネジである。
　正面カバー３３の正面下部には格子状に形成された温風吹出口３９が形成されており、上部を背面板１３２の係止爪３７に係止した状態で下方から取付ネジ１６０を背面板１３２にねじ込むことで、背面板１３２に取り付けられる。
　また、加熱部９内の背面側には、連通口１３５から吹き出される空気を下方に案内する案内部１４０が形成されており、この案内部１４０の前方側に熱源としてのヒータ８が配備されている。このヒータ８の背面側には鏡面に形成された金属製（ここではアルミ製）の反射板１４１が設けられている。この反射板１４１は一端側を温風吹出口３９周縁に近接されると共に、背面側が案内部１４０の先端に当接されており、連通口１３５と温風吹出口３９とに連通する温風通路１４２を案内部１４０と共に構成する。」（段落【００９０】〜【００９４】）
　１−エ　「乾燥運転時には、図１２に示すようにファン１９が正転（図中の矢印Ｇ）されると共にヒータ８へ通電される。
　ファン１９を駆動するとファン１９のブレード１２１の凹面１２１ａで空気を押し出し、吸気口１６から枠体１０内に流入した空気がファンケーシング１１８の吸気穴１２５からファンケーシング１１８内に流入すると共に、ファンケーシング１１８の側壁に沿って図中の矢印Ｊに示すように第１排気口１２６へ向かう空気の流れが生じる。
・・・・・・
　一方、第１排気口１２６から吹き出された空気は第１排気口１２６に連通する温風通路１４２を通る際にヒータ８で暖められると共に反射板１４１にて反射された輻射熱でも暖められ、温風となって温風吹出口３９から浴室２へ吹き出される。この温風吹出口３９から吹き出された温風にて浴室２が暖められて浴室２の水分が蒸発される。この蒸発された水蒸気を含む空気は吸気口１６から枠体１０を介してファンケーシング１１８内に吸い込まれ、一部が浴室２の湿気と共に第２排気口１２７から排気される。」（段落【０１００】〜【０１０３】）
　１−オ　「尚、上記第１乃至第４の実施の形態では換気乾燥機は浴室２内の暖房、乾燥又は換気に使用される場合を示したが、これに限定されるものではなく、浴室２内に干した洗濯物の乾燥にも使用できる。」（段落【０１１５】）
　
　第４の実施の形態に係る換気乾燥機の側面断面図である図１０には、背面板１３２の裏面と枠体１０の前面の間に室内の空気を吸気するための吸気口１６が形成され、また、ファンケーシング１１８の上面には、この空気をファン１９に導入する吸気穴１２５が形成され、さらに、一対の案内部１４０とともに一対のヒータ８の湾曲した反射板１４１が、その間に、ファン１９によって排気された空気を斜め下方に案内する温風通路１４２を形成していることが示されている。また、その平面断面図である図１１を併せて参照すると、吸気口１６は、背面板１３２の裏面と枠体１０の前面の間の間隙の両側部に開口していることが見て取れ、また、ファン１９の第１排気口１２６は背面板１３２に形成した連通口１３５に連通しており、ファン１９から吹き出された空気は、連通口１３５に続く温風通路１４２を通過して温風吹出口３９から斜め下方に浴室２へ吹き出されることが見て取れる。また、図１５には、下側に温風吹出口３９を有する換気乾燥機本体５が、浴室２の壁面の天井近くに取り付けられることが示されている。
　
　上記記載事項について検討すると、記載１−アには、本体を、熱源が装備された加熱部と、送風装置が内蔵された送風部とで構成した換気乾燥機が記載されている。
　記載１−イには、上記送風部７を、枠体１０内に、ファンケーシング１１８により囲繞されたファン１９を有する送風装置を設けて構成することが記載されており、ファンケーシング１１８の上面の略中央には吸気穴１２５が形成され、正面側には温風通路１４２に連通する第１排気口１２６が形成されることが記載されている。
　記載１−ウには、上記加熱部９の外郭を背面板１３２と、この正面側を覆う正面カバー３３とで構成し、背面板１３２には第１排気口１２６と連通する連通口１３５を形成し、連通口１３５と正面カバー３３の正面下部に形成された温風吹出口３９とを連通するように、温風通路１４２を案内部１４０とヒータ８の背面側に設けられた反射板１４１とで構成することが記載されている。また、記載１−ウには、熱源としてヒータ８が設けられることと、案内部１４０は連通口１３５から吹き出される空気を下方に案内することが記載されている。
　ここで図１０の図示事項を参照すると、温風通路１４２を構成する案内部１４０、反射板１４１及びヒータ８はそれぞれ上下に一対設けられており、温風通路１４２は、これら一対の案内部１４０と湾曲した反射板１４１の間に形成され、温風は、一対の反射板１４１の対向する端部が形成する開口（以下、「開口部」と呼ぶ）から温風吹出口３９を通って斜め下方に吹き出されることが明らかである。また、ヒータ８は送風装置より下流側に設けられていることも明らかである。
　記載１−エには、乾燥運転時、ファン１９が駆動され、吸気口１６から枠体１０内に流入した空気がファンケーシング１１８の吸気穴１２５からファンケーシング１１８内に流入し、第１排気口１２６へ向かって流れることが記載されており、また、第１排気口１２６から吹き出された空気は第１排気口１２６に連通する温風通路１４２を通る際にヒータ８で暖められると共に反射板１４１にて反射された輻射熱でも暖められ、温風となって温風吹出口３９から浴室２へ吹き出されることが記載されている。
　ここで、ヒータ８は、輻射熱を発生するものであるとともに、輻射熱を反射するための反射板１４１を備えることから、輻射加熱タイプのヒータであることが明らかである。
　また、図１５の図示事項を勘案すると、この換気乾燥機は、浴室の天井近くの空気を吸い込み、天井近くより斜め下方に向かって吹き出すように送風装置を組み込んだ温風通路１４０を構成する本体５を有するといえる。
　記載１−オには、この換気乾燥機は浴室２内の暖房にも使用される旨記載されている。
　
　これら記載事項及び図示内容を総合し、本願補正発明の記載ぶりに則って整理すると、引用例１には、次の発明（以下、「引用発明」という）が記載されている。
　
「一、浴室の天井近くの空気を吸い込み、天井近くより斜め下方に向かって吹き出すように送風装置を組み込んだ温風通路１４０を構成する本体５と、
　二、前記温風通路１４０の前記送風装置の下流側に設けられ、前記温風通路１４０を流れる空気を加熱し
　三、前記温風通路の開口部を構成する熱源を備え、
　四、前記熱源は、ヒータ８と該ヒータ８の背面側に湾曲した反射板１４１とを２組を備え、対向する一対の前記反射板１４１間に開口部を画成している
　換気乾燥機。」
　
　Ｂ．　同じく原査定の拒絶の理由に引用された、特開２００５−１０６３７２号公報（以下、「引用例２」という）には、浴室暖房機について図面と共に次の事項が記載されている。
　２−ア　「浴室内の空気を吸込む第１の吸込口および第２の吸込口と、前記空気を送風する送風ファンと、該送風ファンから送られた空気を前記浴室内へ吹出す吹出口とからなり、前記第１の吸込口は第１の通風路、第２の吸込口は第２の通風路、前記吹出口は第３の通風路により、前記送風ファンとそれぞれ連通されており、前記第１の吸込口と前記送風ファンとの間には、輻射熱により浴室の暖房を行うための加熱機及び反射板とからなる第１の加熱部が配設され、前記第３の通風路には第２の加熱部が配設され、前記第１の通風路は前記反射板の裏面側を通って前記送風ファンへ連通するように形成させ、前記吹出口は前記浴室の壁面の近傍位置に形成させると共に、前記吹出口から吹出す空気が前記浴室の壁面に沿って略平行に吹出すようにしたことを特徴とする浴室暖房機。
・・・・・・
　前記浴室暖房機は、前記第１の加熱部で浴室を部分的に加熱する輻射暖房モードおよび前記第２の加熱部で浴室全体を加熱する温風暖房モードの運転モードを備え、前記輻射暖房モードで運転するときは、前記第２の加熱部を作動させないことを特徴とする請求項３及至請求項４のいずれかに記載の浴室暖房機。」（【請求項３】〜【請求項５】）
　２−イ　「さらに、請求項５記載の発明のよれば、前記第１の加熱部で浴室を部分的に加熱する輻射暖房モードおよび前記第２の加熱部で浴室全体を加熱する温風暖房モードの運転モードを備え、前記輻射暖房モードで運転するときは、前記第２の加熱部を作動させないことにより、入浴前に浴室全体を暖房したり、入浴中の直接暖房と使用目的に応じた設定が自由にできる。例えば、入浴前には温風暖房モードで浴室全体を急速に暖房することで浴室に入った時の寒さを解消することができ、更に入浴中には輻射暖房モードで肌寒さを防止することができる。
」（段落【００１３】）
　２−ウ　「温風暖房モードは、図示しない温風暖房モードスイッチを押すことで、図示しない制御部から作動信号が発せられ、モータ２３が作動し送風ファン２９が回転すると共に第２の加熱部である電気ヒータ２５が作動される。
　送風ファン２９の回転により、送風ファン２９は第１の吸込口３ａ、３ｂ及び下部の第２の吸込口３０から浴室内の空気を吸い込み、吸い込んだ空気は電気ヒータ２５によって加熱され、温風として吹出口２１から吹出される。」（段落【００５２】〜【００５３】）
　２−エ　「一方、輻射暖房モードは、図示しない温風暖房モードスイッチを押すことで、図示しない制御部から作動信号が発せられ、第１の加熱部であるカーボンランプヒータ５に通電が開始されると同時に、モータ２３に作動信号を送り送風ファン２９を作動させる。このとき、電気ヒータ２５は作動しない。
　送風ファン２９の回転により、送風ファン２９は第２の吸込口３０及び第１の吸込口３ａ及び吸込口３ｂから浴室内の空気を吸い込むが、このとき、第１の吸込口３ａから吸い込まれた空気は反射板７の上部を、第１の吸込口３ｂから吸い込まれた空気は反射板７の背面の通風路１２ａを通って送風ファン２９に吸い込まれる（図中矢印）。
　これらの吸込口から吸い込まれた空気は、カーボンランプヒータ５により発生した熱を冷却すると同時に、浴室暖房機１下部の吹出口２１から温風として吹出され、吹出された空気は浴室壁面に沿って流出する。」（段落【００５５】〜【００５７】）
　
　上記記載事項について検討すると、記載２−アには、概略、輻射熱により浴室の暖房を行うための加熱機及び反射板とからなる第１の加熱部に加え、送風ファンから吹き出された空気の通る第３の通風路に第２の加熱部を設け、第１の吸込口および第２の吸込口から吸い込んだ浴室内の空気を送風ファンにより第３の通風路を通って吹出口から吹き出すようにした浴室暖房機が記載されている。
　そして、記載２−イには、この浴室暖房機は、第１の加熱部で浴室を部分的に加熱する輻射暖房モードおよび第２の加熱部で浴室全体を加熱する温風暖房モードの運転モードを備えているので、入浴前に温風暖房モードで浴室全体を急速に暖房し、また、入浴中には輻射暖房モードで肌寒さを防止することができる旨記載されている。
　記載２−ウには、温風暖房モードでは、第２の加熱部である電気ヒータ２５によって吸い込まれた空気が加熱され、温風として吹出口２１から吹き出されることが記載され、記載２−エには、輻射暖房モードでは、第１の加熱部であるカーボンランプヒータ５により輻射暖房が行われると共に、吸込口から吸い込まれた空気が、カーボンランプヒータ５により発生した熱を冷却し、温風として吹出口２１から吹き出すことが記載されている。
　
　Ｃ．　同じく原査定の拒絶の理由に引用された、実願平１−３９８９９号（実開平２−１３１１０６号）のマイクロフィルム（以下、「引用例３」という）には、概略、リング状の発熱体１８から輻射される熱を反射する反射板１２に、上方に突出する円錐台状の第１の突出部１３と、その頂面１４中央で下方に突出する逆円錐台状の第２の突出部１５とを形成し、さらに頂面１４に下方に突出する環状の湾曲部２０を設けた電気こたつが記載されている（明細書５ページ４〜１９行、第３図参照）。言い換えると、引用例３には、断面が発熱体の方向に開いた形状の反射板の頂部に、発熱体の方向に突出する湾曲部を設けた断面略Ｍ字状の反射板が記載されている。
　そして、引用例３には、このような反射板によって発熱体の熱がやぐら内全体に輻射され、均等に暖められる旨記載され（明細書４ページ１〜１３行参照）、特に反射板の湾曲部２０の構造によって、発熱体１８から輻射された熱が、均等化して反射されることが記載されており（明細書８ページ６〜１１行）、また、第３図には、発熱体１８からの輻射熱が略均一に分散するとともに、湾曲部２０により輻射熱が発熱体１８から離反する方向に反射され、発熱体１８に戻ったりしないことが図示されている。
　
３−２．対比
　本願補正発明と引用発明とを対比すると、各文言の意味、機能または作用等からみて、引用発明の「浴室の天井近くの空気を吸い込み、天井近くより斜め下方に向かって吹き出すように送風装置を組み込んだ温風通路１４０を構成する本体５」は、本願補正発明の「室内の空気を天井側において吸込み、室内の中央に向かって吹出すように送風機を組込んだ通風路を構成する本体」に実質的に相当するので、引用発明の「送風装置」、「温風通路１４０」、「本体５」は、それぞれ本願補正発明の「送風機」、「通風路」、「本体」に相当する。
　次に、引用発明の「熱源」は、「温風通路１４０の開口部を構成」するものであって、「輻射加熱タイプのヒータ８と該ヒータ８の背面側に湾曲した反射板１４１とを２組を備え、対向する一対の前記反射板１４１間に開口部を画成」するものであるのに対し、本願補正発明の「輻射加熱手段」は、「通風路の吹出口を構成」するものであって、「輻射ヒーターと該輻射ヒーターの背面に湾曲した反射板とを２組を備え、対向する一対の前記反射板間に吹出口を画成」するものであり、前者の「熱源」、「開口部」、輻射加熱タイプの「ヒータ８」、「反射板１４１」は、それぞれ後者の「輻射加熱手段」、「吹出口」、「輻射ヒーター」、「反射板」にそれぞれ相当するものであるところから、両者は、「前記通風路の吹出口を構成する輻射加熱手段とを備え、前記輻射加熱手段は、輻射ヒーターと該輻射ヒーターの背面に湾曲した反射板とを２組を備え、対向する一対の前記反射板間に吹出口を画成」する点で一致する。
　また、引用発明の「温風通路１４０を流れる空気」は、本願補正発明の「通風路を流れる空気流」に相当し、これを加熱する前者の「熱源」と後者の「電気ヒーター」とは、空気流の「加熱手段」である点で共通する。
　さらに引用発明の「換気乾燥機」は、浴室内の暖房にも使用されるものであるので、本願補正発明の「暖房装置」に相当する。
　
　そこで、本願補正発明の用語を用いて表現すると、両者は次の点で一致する。
（一致点）
「一、室内の空気を天井側において吸込み、室内の中央に向かって吹出すように送風機を組込んだ通風路を構成する本体と、
　二、前記通風路の前記送風機の下流側に設けられ、前記通風路を流れる空気流を加熱する加熱手段と、
　三、前記通風路の吹出口を構成する輻射加熱手段とを備え、
　四、前記輻射加熱手段は、輻射ヒーターと該輻射ヒーターの背面に湾曲した反射板とを２組を備え、対向する一対の前記反射板間に吹出口を画成した
　暖房装置。」
　
　そして、両者は次の点で相違する（対応する引用発明（引用例記載）の用語を（　）内に示す）。
（相違点１）
　本願補正発明の、通風路を流れる空気流の「加熱手段」は「電気ヒーター」であるのに対し、引用発明の通風路（温風通路１４０）を流れる空気流の「加熱手段」は、輻射加熱手段（熱源）がこれを兼ねている点。
　
（相違点２）
　本願補正発明の「反射板」は、「輻射ヒーターの加熱を防ぐ冷却構造として」、「輻射ヒーターの輻射を同輻射ヒーターから離反させる副反射面を具備している」のに対し、引用発明の「反射板１４１」は、この構成を備えていない点。
　
３−３．相違点の判断
　上記相違点について検討する。
（相違点１について）
　上記記載１−オにあるように、引用発明は、浴室内の暖房にも使用されるものである。
　そして、浴室を暖房するにあたり、入浴前に浴室内を速やかに暖める必要が生じることは、当業者が容易に予測し得た事項であるが、引用例２には、浴室暖房機に、輻射熱により浴室の暖房を行う第１の加熱部（カーボンランプヒータ５）に加え、送風ファンから吹き出された空気の通る第３の通風路に第２の加熱部（電気ヒータ２５）を設け、この電気ヒータ２５によって通風路を通る空気を加熱し、入浴前にこの温風により浴室全体を速やかに加熱すること（温風暖房モード）が記載されている。
　そこで、入浴前に浴室内を温風により速やかに暖めることを可能とするために、引用発明に引用例２記載のものを適用し、通風路（温風通路１４０）に第２の加熱部（電気ヒータ２５）を設け、輻射加熱手段（熱源）ではなく、この電気ヒータによって通風路を流れる空気流を速やかに加熱するようにして、相違点１に係る本願補正発明の発明特定事項のようにすることは当業者が容易に想到し得たことである。
　
（相違点２について）
　引用例３には、電気こたつについて、断面が発熱体の方向に開いた形状の反射板１２の頂部に、発熱体１８の方向に突出する湾曲部２０を設けた断面略Ｍ字状の反射板１２が記載されており、このような反射板１２によって発熱体１８の熱がやぐら内全体に輻射され、均等に暖められる旨記載されている。
　ここで、反射板１２の湾曲部２０は、発熱体１８の熱をやぐら内全体に輻射するのであるから、発熱体１８自体へ向けられる輻射を少なくするものである。してみると、反射板１２の湾曲部２０は、その構造、機能又は作用からみて、本願補正発明の輻射ヒーターの加熱を防ぐ冷却構造である「副反射面」に相当するといえる。
　そして、引用発明の、浴室を暖房することのできる換気乾燥機と、引用例３記載の電気こたつとは、いずれも輻射熱により暖房を行う暖房機である点で共通する技術分野に属するものであり、引用発明も輻射熱で浴室を暖房するにあたり、浴室内を広く均一に暖める必要があることは当業者が容易に予測し得たことであるから、引用発明に引用例３記載の反射板に係る構造を適用し、相違点２に係る本願補正発明の発明特定事項のようにすることは当業者が容易に想到し得たことである。
　
　そして、本願補正発明による効果も、引用発明及び引用例２，３に記載されたものから当業者が予測し得た程度のものであって、格別のものとはいえない。
　
　したがって、本願補正発明は、引用発明及び引用例２，３に記載されたものに基いて、当業者が容易に発明をすることができたものであるので、特許法第２９条第２項の規定により、特許出願の際独立して特許を受けることができない。
　
３−４．むすび
　以上のとおり、本件補正は、改正前特許法第１７条の２第５項において準用する同法第１２６条第５項の規定に違反するので、同法第１５９条第１項において読み替えて準用する同法第５３条第１項の規定により却下すべきものである。
　
第３　本願発明
　本件補正は、上記のとおり却下されたので、本願の請求項１に係る発明（以下、同項記載の発明を、「本願発明」という）は、平成２０年１２月１０日付けの手続補正書により補正された明細書の、特許請求の範囲の請求項１に記載された事項により特定される、以下のとおりのものである。
「一、室内の空気を天井側において吸込み、室内の中央に向かって吹出すように送風機を組込んだ通風路を構成する本体と、
　二、前記通風路の前記送風機の下流側に設けられ、前記通風路を流れる空気流を加熱する電気ヒーターと、
　三、前記通風路の吹出口を構成する輻射加熱手段とを備え、
　四、前記輻射加熱手段は、輻射ヒーターと該輻射ヒーターの背面に湾曲した反射板とを２組を備え、対向する一対の前記反射板間に吹出口を画成し、
　五、前記輻射加熱手段は、前記輻射ヒーターの過熱を防ぐ冷却構造として、前記反射板に、前記輻射ヒーターの輻射を同輻射ヒーターから離反させる副反射面を具備している
　ことを特徴とする暖房装置。」
　
第４　引用例の記載事項
　原査定の拒絶の理由に引用された引用例、及び、その記載事項は、前記「第２」の「３−１」に記載したとおりである。
　
第５　対比・判断
　本願発明は、前記「第２」の「１」の本願補正発明から、「副反射面を具備」する「反射板」の限定事項である「前記吹出口を画成する一対の」との構成を省いたものである。
　そうすると、本願発明の発明特定事項をすべて含み、さらに、他の発明特定事項を付加したものに相当する本願補正発明が、前記「第２」の「３−３」に記載したとおり、引用発明及び引用例２，３に記載されたものに基いて、当業者が容易に発明をすることができたものであるから、本願発明も、同様に、引用発明及び引用例２，３に記載されたものに基いて、当業者が容易に発明をすることができたものである。
　
第６　むすび
　以上のとおり、本願発明は、引用発明及び引用例２，３に記載されたものに基いて、当業者が容易に発明をすることができたものであるから、特許法第２９条第２項の規定により、特許を受けることができない。
　したがって、本願は、他の請求項について検討するまでもなく、拒絶すべきものである。
　よって、結論のとおり審決する。